(57)【要約】  約５００ｐｐｍ以下の消毒剤濃度を有する環境内の消毒剤濃度を、ある期間中に、より低い濃度に下げる方法が開示される。この方法は、期間中に環境を除湿して消毒剤を除去するステップと、環境を水分により期間中に給湿して、環境の高い方の相対湿度と低い方の相対湿度の差を約２０〜５０％に維持するステップとを含む。また、消毒剤供給源、水分供給源、１台又はそれ以上の霧発生器、及び除湿器を含む環境を除染するシステムも開示される。消毒剤を導入するステップ、表面に液体消毒剤を維持するステップ、及び環境を除湿して消毒剤濃度を高めるステップを含む、環境又は密閉物を除染する方法が開示される。
2014517744.tif 000002
【特許請求の範囲】
【請求項１】
約５００ｐｐｍ以下の消毒剤濃度を有する環境内の過酸化水素消毒剤の濃度を、ある期間に、前記環境内の前記消毒剤の前記濃度がより低い濃度に下がるまで下げる方法であって、
前記期間中に前記環境を連続的又は断続的に除湿して前記消毒剤を除去するステップと、
前記期間中に前記環境を水分で連続的又は断続的に水分により給湿して、前記環境の低い方の相対湿度と高い方の相対湿度の差を約２０〜５０％に維持するステップとを含む、方法。
【請求項２】
前記環境が、約１００ｐｐｍ又はそれ以下の濃度を有する、請求項１に記載の方法。
【請求項３】
前記環境が、約１０ｐｐｍ又はそれ以下の濃度を有する、請求項１に記載の方法。
【請求項４】
前記環境を給湿するステップは、前記より低い濃度が約１０．０ｐｐｍ又はそれ以下になるまで水で行なわれる、請求項１に記載の方法。
【請求項５】
前記環境を給湿するステップは、前記より低い濃度が約５．０ｐｐｍ又はそれ以下になるまで水で行なわれる、請求項３に記載の方法。
【請求項６】
前記環境を給湿するステップは、前記より低い濃度が約３．０ｐｐｍ又はそれ以下になるまで水で行なわれる、請求項３に記載の方法。
【請求項７】
前記環境を給湿するステップは、前記より低い濃度が約１．０ｐｐｍ又はそれ以下になるまで水で行なわれる、請求項３に記載の方法。
【請求項８】
前記環境を給湿するステップは、前記環境内の前記相対湿度を約２５〜５５％に維持する、請求項１に記載の方法。
【請求項９】
前記環境を給湿するステップは、前記環境内の前記相対湿度を約３０〜５５％に維持する、請求項１に記載の方法。
【請求項１０】
前記環境を給湿するステップは、前記環境内の前記相対湿度を約２５〜４５％に維持する、請求項１に記載の方法。
【発明の詳細な説明】
【技術分野】
【０００１】
（関連出願の相互参照）
本出願は、２０１１年４月２９日に出願され現在係属中の米国出願第１３／０９８，３８６号の一部継続出願である。
【０００２】
（発明の分野）
本開示は、環境内の消毒剤の濃度を下げる方法、除染装置及びシステム、並びにそれと関連した環境の除染方法に関する。
【背景技術】
【０００３】
病院やホテル客室などの密室や他の環境は、細菌、かび、菌類、酵母などを含む種々様々の微生物汚染物質で汚染されやすい。いくつかの微生物汚染物質は、風で運ばれ、扉、窓及び／又は通風装置を通って部屋に入る。他の微生物汚染物質は、部屋に入る居住者によって衣類上などで環境に運び込まれ、接触によって室内の表面又は物品に移される。そのような微生物は、多くの場合、カーペット、カーテン、壁紙、家具、調理台などの室内の様々な面内又は面上、又は表面に置かれた種々の物品内若しくは物品内で生き残ることでき、根絶するのがきわめて困難な傾向がある。
【０００４】
更に、環境は、タバコの煙、身体の香水、医薬品の匂いなどの様々な非微生物汚染物質で汚染されることがある。これらの汚染物質は、根絶するのが等しく難しいことはほぼ間違いない。
【０００５】
部屋の居住者が頻繁に変わる病院やホテル客室などの環境の場合には、室内に存在する微生物及び非微生物汚染が、後の居住者の汚染につながらないことを保証することが望ましい。
【０００６】
除染は、環境から微生物汚染物質と非微生物汚染物質を減少又は根絶する周知の方法である。従来の除染プロセスは、典型的には、環境が、まず消毒剤の導入によって許容程度まで除染され、次に一連の多数で長期にわたるステップによって消毒剤を許容レベルまで除去するような、１つ又はそれ以上の除染ステップを必要とする。これらのステップのうち、環境から消毒剤をより低い濃度に除去すること、特に過酸化水素などの消毒剤を１ｐｐｍ又はそれ以下の許容レベルに除去することは、効果的で効率的な除染プロセスを設計又は開発するときに大きな課題である。除染プロセスは、プロセスのほとんど又は全ての間、環境が使用できないままになることを必要とする。したがって、長期の除染プロセス、特に長期の消毒剤除去プロセスは、特に例えば環境がホテル客室又は病室のときは、部屋が空いている間に多大な休止時間と収入損失をもたらす。
【０００７】
したがって、消毒剤を素早く除去して環境を迅速に再占有できるように、環境から消毒剤を除去する代替方法を提供することが有利になる。
【０００８】
環境を効果的かつ効率的に除染する際の課題の１つは、環境の表面内又は表面上に存在する微生物汚染物質を不活性化するのに必要な最少量の消毒剤を導入することである。導入する消毒剤が必要量より少ないと、好ましくない汚染微生物物質が生き残るか、効果が現れるのに必要な接触時間を長くしてしまうことがある。導入する消毒剤が必要量より多いと、消毒剤コストの点で非経済的なことがあり、また消毒剤が多すぎると、消毒剤を商業的に許容される時間で部屋の再入場許容レベルまで除去するのが難しいか又は時間がかかることがある。多くの消毒剤は、水溶液として提供される。消毒剤及び／又は水による環境の大気の飽和は、環境の大中で達成できる消毒剤の最大濃度を制限する。導入する消毒剤溶液が多すぎると、余分な消毒剤溶液が、環境の床に付着しかつ／又は凝結して溜まり、かつ／又は環境内にある材料又は機器を腐食させるか、他の状況では有害になることがある。
【０００９】
環境の除染のもう１つの課題は、有効量の消毒剤が環境内に確立された後に、微生物汚染物質と接触し不活性化させるのに十分な時間維持されることである。また、消毒剤は、環境内の物質による劣化又は吸収を受け、その結果、環境の大気中の消毒剤の初期濃度が、無効又は非効率的レベルまで下がる。
【００１０】
環境内の湿度が所定レベルより下がったときに追加の消毒剤を噴霧することによって消毒剤の濃度の低下を少なくともある程度補償し、湿度が別の所定レベルに上ったときに消毒剤の噴霧を止めることは知られている。消毒剤の噴霧中に環境を除湿することによって、環境の大気内の消毒剤の濃度を最初の濃度より高くすることは知られている。この方法の欠点は、消毒剤溶液が環境に導入されている間に、同時に除湿プロセスによって水分と消毒剤が除去されることである。これにより、環境内又は環境上で、微生物と必要な時間接触できる消毒剤の実際の分量を決定するのが難しくなることがある。
【発明の概要】
【課題を解決するための手段】
【００１１】
一実施形態では、本開示は、約５００ｐｐｍ又はそれ以下の消毒剤濃度を有する環境内の消毒剤の濃度を、ある期間中により低い濃度に下げる方法を提供する。方法は、期間中に環境を除湿し、期間中に環境を水分により連続的又は断続的に給湿して、環境の低い方の相対湿度と高い方の相対湿度の差を約２０〜５０％に維持するステップを含む。
【００１２】
本開示による追加の態様は、消毒剤供給源、水分供給源、１台又はそれ以上の霧発生器、及び除湿器を含む、環境を除染するための除染システムを対象とする。霧発生器は、消毒剤供給源及び／又は水分の少なくとも一方又は両方と流体連通しており、消毒剤と水分の少なくとも一方を霧又は蒸気の少なくとも一方の形で環境に放出するように構成される。除湿器は、環境から消毒剤と水分を除去するように構成される。
【００１３】
更に他の発明では、本開示は、実質的に大気圧で維持された、環境内に導入された消毒剤の濃度を高める方法を提供する。この方法は、環境の中の消毒剤が、除湿前の消毒剤導入ステップで達した濃度より高い濃度に達するまで、環境内に消毒剤溶液を導入し、その後で環境を除湿することを含む。一実施形態では、方法は、前述の方法の１つ又はそれ以上の繰り返しを含み、消毒剤溶液を導入する各ステップは、湿度が減少する正味効果を有する除湿ステップが後に続き、一方、これに付随して、環境の中の消毒剤濃度は、湿度減少ステップの前の消毒剤の導入による濃度より高くなる。本明細書に開示された方法は、環境内の消毒剤の濃度を高め、同時に、環境内に提供される消毒剤溶液の分量を固定し、その分量が提供された後で除湿プロセスを行い、実質的に大気圧で、最終的に環境内の消毒剤の濃度を確実で予測可能な方法で高めることによって、前述の欠点を最小にする。
【００１４】
本明細書に開示され記述された発明が、この要約に開示された実施形態に限定されないことを理解されたい。
【図面の簡単な説明】
【００１５】
本明細書に開示され記述された様々な非限定的な実施形態の特徴は、添付図面を参照することにより、よりよく理解することができる。
【図１】本開示の１つの非限定的な実施形態の除染装置の前方斜視図。
【図２】本開示の１つの非限定的な実施形態の除染装置の後方斜視図。
【図３】装置の前方扉が開位置にある本開示の１つの非限定的な実施形態の除染装置の前方平面図。
【図４】本開示の１つの非限定的な実施形態の除染装置の前方平面図。
【図５】環境内の消毒剤の濃度を下げる方法を示すグラフ。
【図６】複数回の消毒剤とそのそれぞれの後に除湿が続く環境内の消毒剤の濃度を高める方法を示すグラフ。
【図７】環境の除湿前に環境に導入される消毒剤の量を増やすことによって環境内の消毒剤の濃度を高める方法を示すグラフ。
【図８】環境を除湿する前に環境の表面に液体の消毒剤を圧縮及び／又は凝結することによって環境内の消毒剤の濃度を高める方法を示すグラフ。
【発明を実施するための形態】
【００１６】
本開示では、特に断らない限り、全ての数値パラメータは、全ての例において用語「約」によって前置又は修飾されるように解釈されるべきであり、数値パラメータは、パラメータの数値の決定に使用される基本的測定技術の固有の変動特性を有する。せめて少なくとも、また請求項に対する均等論の適用を限定しようとするものではなく、本明細書に記載された各数値パラメータは、少なくとも、報告された有効桁の数の点から、また通常の切り上げ方法を適用することによって解釈されるべきである。
【００１７】
また、本明細書で列挙された数値範囲は、列挙された範囲に含まれる全ての部分範囲を含むものである。例えば、範囲「１〜１０」は、列挙された最小値１と列挙された最大値１０の間（及びこれらの数を含む）、即ち１以上の最小値と１０又はそれ以下の最大値を含む全ての部分範囲を含むものである。本明細書に列挙された最大数値限定は、含まれる全ての数値下限を含み、また本明細書に列挙された最小数値限定は、含まれる全ての数値上限を含むように意図される。したがって、出願人は、請求項を含む本開示を、本明細書に明示的に列挙された範囲内に含まれるどの部分範囲も明示的に列挙するように修正する権利を留保する。係る範囲は全て、本明細書では、本質的に、係る部分範囲を明示的に列挙する修正が、３５  Ｕ．Ｓ．Ｃ．§  １１２第一段落と３５  Ｕ．Ｓ．Ｃ．§  １３２（ａ）の要件に適合するように開示される。
【００１８】
本明細書の参照により援用されると記載された特許、刊行物、又は他の開示内容は、特に断らない限りはその全体が、援用文献が現行の定義、見解、又は本開示に明示的に記載された他の開示内容とあくまで矛盾しない範囲で本明細書に援用されることを理解されたい。
【００１９】
用語「除染」は、微生物を許容レベル（必ずしもゼロではない）まで減少させることを意味し、衛生化、消毒及び滅菌を含むがこれらに限定されない。例えば、除染は、プリオン、原生動物接合子嚢、細菌内生胞子、ミコバクテリア、ウィルス、真菌胞子、繁殖期細菌、及びマイコプラズマの不活性化を含み、衛生化は、微生物を公衆衛生の視点から安全と考えられるレベルに減少させることを指し、典型的には、微生物の５対数未満の減少を必要とし、消毒は、無生物表面の病原生物の減少を指し、典型的には、微生物の少なくとも５対数の減少を必要とし、滅菌は、胞子を含む全ての微生物生命体の破壊を指し、典型的には、微生物の少なくとも６対数の減少を必要とする。
【００２０】
用語「環境」は、解放領域、気体又は空気の収容領域、閉鎖領域、部屋、隔離物、密閉物、又は除染を必要とすることがある任意の適切な空間、場所及び／若しくは領域を意味する。また、用語「環境」は、空間、場所及び／又は領域内の表面、機器、装置、台、机、及び／又は他の物品を含む。殺菌化学薬品の濃度及び適用によっては、用語「環境」は、空間、場所及び／又は領域内の家禽及び／又は動物を含むことがある。ある特定の実施形態では、環境は、部屋又は「密閉物」でよい。ある特定の他の実施形態では、環境は、例えば、２５〜１００ｍ３の部屋である。密閉物は、窓と扉を備えてもよく、また家具付きでも家具付きでなくてもよい。
【００２１】
次に図１〜図４を参照すると、本開示は、消毒剤供給源４、水分供給源１６を含むハウジング２を備え、消毒剤供給源４及び水分供給源１６と流体連通し消毒剤と水分を環境１００に放出するように構成された霧発生器８、並びに残留消毒剤及び水分を環境１００から除去するように構成された除湿器１８を備えた、環境１００を滅菌するための除染装置１０を提供する。
【００２２】
本明細書で使用されるとき、「消毒剤供給源」は、除染装置１０の霧発生器８と流体連通した消毒剤の供給源を指す。一実施形態では、図示されたように、消毒剤供給源４は、ある量の消毒剤を予備で保持するための容器又はタンクでもよい。本明細書で使用されるとき、「消毒剤」は、当業者に知られた種々の除染溶液を指す。消毒剤は、電気分解水、水とアルコールの混和溶液、過酸化水素、有機化合物、過酢酸、過ギ酸、他の過酸化学薬品などの殺菌剤、酢酸、エトキシ化添加物（界面活性剤）、銀イオン等の銀、オゾン反応液、塩素化合物、次亜塩素酸塩、第四アンモニウム化合物、及びこれらの混合物、油とその混合物、並びに以上のもののいずれかの組み合わせなど、単一成分又は複数成分の除染液又は溶液からなってもよい。消毒剤は、約４０％未満、約２０％未満、約１０％未満から、又は５〜８％の濃度の過酸化水素を含む水溶液であることが好ましい。１つの消毒剤供給源４だけが示されているが、ある特定の非限定的な実施形態では、除染装置１０がきわめて大きい環境で使用するように構成されたときや、オペレータの都合により１つ又はそれ以上の予備又は代替消毒剤供給源が望ましい場合などは、２つ又はそれ以上の消毒剤供給源が使用されてもよい。２つ又はそれ以上の消毒剤供給源がそれぞれ、同じ消毒剤を含んでも異なる消毒剤を含んでもよい。
【００２３】
本明細書で使用されるとき、「水分供給源」は、環境内で水分を維持するか、より典型的には、環境の水分を、絶対湿度又は相対湿度として測定された第１の湿度レベルから第１の湿度レベルより高い第２の湿度レベルに高めるために、水分を保持又は使用する任意の容器又は装置を指す。用語「水分」は、環境に加えられたときに環境内の絶対湿度又は相対湿度を高める自由水の一部分を含む任意の組成物を意味する。水分には、様々な形態の水、又は例えば少量の消毒剤を含む水と様々な他の組成物の混合物を含む他の組成物が挙げられる。ある特定の実施形態では、水分供給源は、実質的に消毒剤がない水で構成される。好ましい実施形態では、水は、無菌である。絶対湿度は、０．５ｋｇ（１ポンド）の乾燥空気と関連付けられた水蒸気のポンド数であり、単に湿度とも呼ばれる。絶対単位には、例えば、露点又は乾燥空気１ポンド当たりの水粒が挙げられる。相対湿度は、支配的温度における水の蒸気圧に対する中の水蒸気の分圧の比率であり、通常はパーセントとして表される。相対湿度は、本質的に、空気の飽和度を示す。
【００２４】
消毒剤は、除染装置１０から霧及び／又は蒸気の形で分配されることがある。消毒剤が、霧の形態で分散されるとき、霧の一部分が、除染装置１０から出る前又は出る際に蒸発又は気化することがある。用語「霧」は、液体の小滴からなる物質を意味する。液体の小滴のサイズと密度によっては、霧は、一般に肉眼で見える。用語「蒸気」は、自由分子からなる気体を意味する。蒸気は、霧又は液体の蒸発により生成される。分かりやすくするために、ある特定の非限定的な実施形態では、本明細書に示す装置及び方法は、環境１００内に「噴霧」又は「霧」を放出する形で述べられるが、当業者は、蒸気が、装置１０から環境１００内に出る流れの全て又は少なくとも一部分でよいことを理解するであろう。
【００２５】
図３〜図４を参照すると、消毒剤供給源４は、消毒剤を環境１００内に分配するために、噴霧ノズルなどの出口１２を備えた小滴又は霧発生器８と、導管６を介して流体連通してもよい。霧発生器８は、当業者に既知の任意の従来の霧又は液滴生成装置でよい。様々な実施形態では、環境からの暖かい乾燥空気が、霧発生器に通されてもよい。様々な実施形態では、霧発生器８は、直径約１〜２０ミクロン、約１〜１０ミクロン、約１〜５ミクロン、又は５〜１０ミクロン未満の靄粒子の微細霧を生成してもよい。一実施形態では、霧は、単一分配（mono-dispense）でもよい。様々な実施形態では、例えば、Ｆｏｇｍａｓｔｅｒ  ｂｙ  Ｆｏｇｍａｓｔｅｒ  Ｃｏｒｐｏｒａｔｉｏｎ，Ｄｅｅｒｆｉｅｌｄ  Ｂｅａｃｈ，ＦＬなどの市販の霧発生器を使用して霧を生成してもよい。様々な実施形態では、霧発生器８は、超音波給湿器又は当業者に既知の任意の他の適切な噴霧又は霧発生器を含んでもよい。特定の実施形態では、液体の小滴が、空気流に引き込まれ、他の小滴と衝突する乱気流によってより小さい液滴にせん断される、乱流混合が使用されてもよい。
【００２６】
あるいは、霧発生器８は、消毒剤供給源４から導管６を介して消毒剤を吸い出す圧力差が装置内に作り出されるように機能する。第１の導管６が、霧発生器８と流体連通しているので、消毒剤は、霧が出口１２から出ているときに第１の導管６に通され、霧の動きによって真空ができる結果、環境１００内に移動されてもよい。この圧力差は、霧を出口１２から環境１００内に分配するのに必要な力を提供する。消毒剤を霧発生器８に移すのを支援するために、消毒剤移動装置（図示せず）が使用されてもよい。消毒剤移動装置は、消毒剤供給源４から霧発生器８への消毒剤の移動を支援するように構成されたポンプ、ファン、ブロワ、及び／又は他の適切な装置でよい。ハウジング２内又はハウジング上に様々な構成要素が配置されてもよい。
【００２７】
除染装置１０の霧発生器８によって作成される霧の量は、消毒剤供給源がある限り霧を一貫して作成できるので、除染装置１０をより長い期間動作させるだけで任意の環境に対して容易に調整可能である。
【００２８】
図１〜図４を再び参照すると、除染装置１０は、また、除染装置１０のハウジング２に組み込まれ、環境１００を水分により給湿するように構成された少なくとも１つの水分供給源１６を含んでもよい。特定の実施形態では、水分供給源１６は、環境に水分を分散させる霧発生器８に水を供給する導管１７を備えた容器又はタンクの形でもよい。図３〜図４に示されたように、水分供給源１６は、ハウジング２内の消毒剤供給源４と隣接した位置などに配置されてもよい。
【００２９】
ある特定の非限定的な実施形態では、除染装置１０は、複数の霧発生器（図示せず）を備えてもよい。例えば、除染装置１０が、２台の霧発生器を備える一実施形態では、消毒剤供給源からの１本の消毒剤導管が、第１の霧発生器と流体連通してもよく、水分供給源からの別の水分導管が、第２の霧発生器と流体連通してもよい。ある特定の他の実施形態では、除染装置１０は、２台以上の霧発生器を備え、また少なくとも１つの消毒剤供給源からの１本又はそれ以上の消毒導管及び／又は少なくとも１個の水分供給源から所望の数の霧発生器への１本又はそれ以上の水分導管とを備えてもよい。
【００３０】
図１〜図４に最もよく示されたように、除染装置１０は、単一の霧発生器８を使用する。この実施形態では、消毒剤供給源４と水分供給源１６は、消毒剤導管６、水分導管１７、Ｙ字管、及び単一導管を介して霧発生器８と流体連通して位置決めされてもよい。ある特定の実施形態では、導管６及び１７を含む全ての導管とＹ字管は、操作を容易にするために屈曲可能で圧縮可能な管で作成される。特定の実施形態では、Ｙ字管は、消毒剤導管６と水分導管１７が、霧発生器８と流体連通した単一導管でそれぞれの供給物を供給できるようにする三角継手でもよい。Ｙ字管は、導管６から消毒剤を受け取りかつ／又は導管１７から水分を受け取ってもよく、消毒剤及び／又は水分の供給物が、導管７を通って霧発生器８に流れることを可能にする。Ｙ字管は、消毒剤と水分の両方を単一の霧発生器８から別々又は同時に噴霧することを可能にする。本明細書に示されたように複数の霧発生器が使用され、その結果、例えば消毒剤と霧を別々の霧発生器から個別に噴霧できるようにされてもよいが、Ｙ字管は、構成部品とコストを削減することができる。特定の実施形態では、水分供給源は、フィルタにより濾過されてもよく、無菌又は消毒状態で供給されてもよい。
【００３１】
ある特定の非限定的な実施形態では、水分供給源１６をＹ字管に接続する水分導管１７は、消毒剤供給源４をＹ字管に接続する消毒剤導管６より低く位置決めされてもよい。水分導管１７は、霧発生器が停止されたときに、霧発生器からの噴霧後に残る残留消毒剤が、水管を下がって水分供給源１６に排出できるように低く位置決めされると有利である。図３に示されたように、特定の実施形態では、除染装置１０は、ドレンタンク３０を備えてもよい。図示されたように、ドレンタンク３０は、除染装置１０の最も低い部分に位置決めされてもよい。ドレンタンク３０は、除染動作による余分な消毒剤や他の溶液又は除湿プロセスによる水など、除染装置１０の動作によって生じる可能性がある残留水分や他の副生成物を捕らえるように位置決めされてもよい。
【００３２】
ある特定の他の実施形態では、消毒剤供給源４と水分供給源１６は、製品情報、ロット番号、有効期限日、体積などの情報を記憶する電子タグを備えてもよい。タグに記憶された情報は、ＲＦＩＤリーダによって読み取られてもよい。ＲＦＩＤリーダは、タグと定期的に通信して、情報を更新し、容積を満たし、有効期限日を確認してもよい。消毒剤供給源４上と水分供給源１６上のＲＦＩＤタグ間の通信により、除染装置１０のオペレータは、例えばそれぞれの容器内の消毒剤又は水分の残留量の通知を受けることができる。ある特定の非限定的な実施形態では、少なくとも１台のＲＦＩＤリーダが、消毒剤供給源４及び水分供給源１６と隣接して配置されてもよい。
【００３３】
除染装置１０は、また、環境１００から消毒剤と水分を除去するように構成された少なくとも１台の除湿器１８を備えてもよい。図２に示されたように、除湿器１８は、図示されたような除染装置１０の後方部分などのハウジング２内に配置されてもよい。ハウジング２に組み込まれたとき、除染装置１０は、更に、環境１００からの水分及び／又は消毒剤を含む空気を除湿器１８に吸い込むことを可能にする除湿器取入口１９を備えてもよい。更に、除染装置１０のどちらかの側又は両側に、処理済みの空気の少なくとも一部分を除湿器１８から環境１００に放出する除湿器排出口２０を備えてもよい。除湿器１８は、ウィスコンシン州マジソンにあるＴｈｅｒｍａ−Ｓｔｏｒ  ＬＬＣによって製造された１５０パイント／日（ｐｐｄ）の除湿能力を有する凝縮型除湿器Ｓａｎｔａ  Ｆｅ  Ｍａｘ  Ｄｒｙ  Ｄｕａｌ  ＸＴなど、当業者に知られた任意の従来の除湿器でよく、１４０ｐｐｄ  ＠  ＡＨＡＭの速度で水分を除去するものが好ましい。
【００３４】
ある特定の非限定的な実施形態では、除染装置１０は、更に、スクラバ（図示せず）を備えてもよい。スクラバは、環境１００から微粒子及び／又はガスを除去するために使用することができる任意の湿式又は乾式スクラバタイプ空気汚染管理装置でよい。スクラバが使用されるとき、環境１００から過酸化水素などの残留ガス又は追加の残留消毒剤を除去するために、パラジウム触媒などの種々の触媒が使用されることがある。
【００３５】
ある特定の非限定的な実施形態では、除染装置１０は、更に、動作中に除染装置１０の種々の構成要素の動作の監視を支援する種々の検出装置を備えてもよい。例えば、除染装置１０は、例えば１個又はそれ以上の湿度センサ、消毒剤センサ及び／又はレベル検出器（図示せず）を備えてもよい。消毒剤として過酸化水素が使用されるとき、環境１００内の消毒剤の濃度を測定する消毒剤センサは、過酸化水素センサでもよい。湿度センサは、環境１００の相対湿度を監視するために、ハウジング２内に位置決めされてもよく、環境内の物体に取り付けられてもよい。レベル検出器は、溶液の高さに対する溶液の電気容量の変化を検出することによって溶液の高さを検出する容量センサでよい。容量レベルセンサは、例えば、ドレンタンク３０が満杯になり、ドレンタンク３０から液体を排出しなければならないことを除染装置１０のオペレータに知らせるために使用される。特定の実施形態では、除染装置１０は、ドレンタンク３０が満杯であるという信号を容量レベルセンサが出した場合に停止する。
【００３６】
ある特定の非限定的な実施形態では、除染装置１０は、当業者に知られているように、除染装置１０の動作の様々な態様を制御するための遠隔制御装置（図示せず）を備えてもよい。
【００３７】
本開示は、また、消毒剤供給源４、水分供給源１６、１台又はそれ以上の霧発生器８及び除湿器１８を備えた、環境１００を除染するために除染システムを提供する。除染システムが、本明細書に記載されたものと類似の構成要素及び動作を含み、例えば水分供給源１６や除湿器１８などの少なくとも１つの構成要素が、ハウジング２の外部であるが環境１００の内に位置決めされる。これらの実施形態では、ハウジング２と別の１個又はそれ以上の構成要素が、除染装置１０と流体連通してもよくしなくてもよい。更に、これらの別個の構成要素の動作は、除染装置と協力して使用されてもよく、除染装置から独立して個別に制御可能でもよい。例えば、水分供給源は、除染装置１０の外部に別個に位置決めされた、Ｃｒａｎｅ  ＵＳＡ，Ｉｎｃ．による、１日当たり最大約７．９５Ｌ（２．１ガロン）の水分を提供するす能力を有するＣｒａｎｅ  Ｍｏｄｅｌ  ＃  ＥＥ−３１８６などの給湿器でもよい。
【００３８】
除染プロセス中、消毒剤は、環境内に１回又はそれ以上導入され、次に環境内の消毒剤の濃度を下げる方法が続く。本明細書に開示された種々の実施形態は、除湿を使用して環境から消毒剤を除去することによって、約５００ｐｐｍ又はそれ未満、約１００〜５００、又は約１０〜１００ｐｐｍの消毒剤濃度を有する環境内の消毒剤濃度をある期間により低い濃度に下げる方法を対象とする。ある特定の実施形態では、約５０ｐｐｍ又はそれ以下若しくは約１０〜５０ｐｐｍの消毒剤濃度が、ある期間により低い濃度に低減されてもよい。ある特定の他の実施形態では、約１０ｐｐｍ又はそれ以下若しくは約２〜１０ｐｐｍの消毒剤濃度が、ある期間により低い濃度に低減されてもよい。本明細書で使用されるとき、用語「環境内の消毒剤濃度」は、除染装置１０内にある消毒剤を除外する。
【００３９】
ある特定の実施形態では、環境は、消毒剤が環境に導入されたときに約１３〜３５℃又は約２０〜２７℃（５５〜９５°Ｆ又は約６８〜８０°Ｆ）の温度を有することがある。
【００４０】
ある特定の実施形態では、環境内の消毒剤の濃度を低減する方法が、図５に示されたように、除湿を使用して環境からの過酸化水素をより低い濃度に除去してもよい。例えば、環境内の消毒剤の濃度を低減する方法は、消毒剤濃度を約１０ｐｐｍ、５ｐｐｍ、又は３ｐｐｍ又はそれ以下に低減してもよい。除染プロセスで消毒剤として過酸化水素が利用されるときは、人間が環境内に再び入る前に環境内の消毒剤の濃度を政府規制によって許容可能と考えられる濃度に低減することが望ましいことがある。例として、人間にとって安全と考えられる過酸化水素濃度は、約１ｐｐｍ又はそれ以下である。しかしながら、このレベルは、特定の国ではもっと高く、したがって、許容レベルは、様々な国の政府規制により異なる。
【００４１】
除湿器を使用して環境から消毒剤を除去する期間中に、消毒剤の濃度がより低いレベルになるまで環境の除湿を連続的に行ってもよく、同時に、同じ期間中に、給湿器の出力によって環境の給湿を断続的又は連続的に行ってもよい。あるいは、除湿器を使用して消毒剤を環境から除去する期間中に、消毒剤濃度がより低いレベルになるまで環境の除湿を断続的に行ってもよく、同時に、同じ期間中に、給湿器の出力により環境の給湿を断続的又は連続的に行ってもよい。あるいは、除湿器を使用して環境から消毒剤を除去する期間中に、除湿と給湿の両方を断続的に操作してもよく、任意の所定の瞬間に、除湿と給湿を同時に行ってもよく、除湿と給湿の一方を行い他方を行ってもよく、除湿と給湿の両方を一定時間停止してもよい。
【００４２】
除湿及び給湿と関連して本明細書で使用されるような用語「断続的に」は、除湿及び／又は給湿のオンとオフを均一間隔又は可変間隔で少なくとも１回繰り返すことを指す。除湿のデューティサイクルは、検討中の期間の全時間に対するオン時間の比率として本明細書で定義され、相対除去率と除湿装置と給湿装置の出力により、給湿のデューティサイクルと同じでもよく異なってもよい。更に、除湿と給湿は、互いに同じで位相で繰り返されてもよく異なる位相で繰り返されてもよい。
【００４３】
理論によって拘束されるものではないが、前述のように除湿と共に連続的又は断続的な給湿によって環境から過酸化水素をより効率的に除去する可能なメカニズムは、（１）気相で存在することがある過酸化水素が、給湿器によって放出された水分の小滴に溶けること、（２）小滴として液相で存在することがある過酸化水素が、給湿器によって放出された水分の小滴と衝突し、合体し、薄められることがあること、（３）気相で存在することがある過酸化水素が、給湿器によって放出された水分による大気の飽和により大気から凝結し、前述のように合体と希釈を受けること、又は表面に降下し、プロセスの除湿部分の間に、前述のように再び気化され水分に溶けることがあること、及び／又は（４）水より分子量が大きく蒸気圧が高いために、給湿器によって放出された水分によって相対湿度が高くなってときに水より前に過酸化水素が凝結することである。
【００４４】
ある特定の実施形態では、水分供給源による環境の給湿は、除湿を使用して消毒剤を環境から除去している期間中、環境の低い方の相対湿度と高い方の相対湿度の差を約２０〜５０％に維持し、例えば、給湿は、環境の低い方の相対湿度と高い方の相対湿度の差を約５０％に維持し、これは、例えば約３０（低い方の相対湿度）〜８０％（高い方の相対湿度）の範囲の環境の相対湿度に限定されない。あるいは、給湿は、例えば約４０〜８０％の環境の相対湿度に限定されない約４０％の差を維持してもよく、例えば約２５〜５５％の環境の相対湿度に限定されない約３０％の差を維持してもよく、例えば約３０〜５５％の環境の相対湿度に限定されない約２５％の差を維持してもよく、例えば約２５〜４５％の環境の相対湿度に限定されない約２０％の差を維持してもよい。
【００４５】
ある特定の実施形態では、環境から消毒剤を除去する期間中の水分供給源による環境の給湿は、環境内の相対湿度を約２５〜８０％、約２５〜５５％、約３０〜５５％、又は２５〜４５％に維持する。
【００４６】
環境から消毒剤を除去している期間中、環境内の消毒剤の濃度を下げるために最初に除湿が行ってもよい。しかしその後で、同じ期間中、環境の相対湿度が約２５％になったとき、給湿は、例えば相対湿度を約２５〜５５％に維持するために停止されてもよい。
【００４７】
ある特定の実施形態では、水分を含む環境の除湿と給湿の組み合わせて環境の相対湿度を約２５〜８０％に維持することにより、除湿だけを使用するより短期間に、環境内の消毒剤の濃度が、許容可能なより低い濃度レベル（例えば、約１０．０ｐｐｍ以下、約５．０ｐｐｍ以下、約３．０ｐｐｍ以下、約１．０ｐｐｍ以下）まで消毒剤を除去することができる。ある特定の実施形態では、期間中に環境を給湿するステップは、水分を３００ｍＬ／分未満の割合、あるいは約１０〜８０ｍＬ／分の割合、約４０〜７０ｍＬ／分の割合、又は特定の部屋サイズを所望の期間内に所望の湿度まで給湿する割合で導入してもよい。
【００４８】
ある特定の実施形態では、除湿と給湿は、自動でも又は手動でもよい。ある特定の実施形態では、除湿と給湿は、手作業が不要なように、検出装置とコントローラの使用により自動的に制御されてもよい。
【００４９】
ある特定の非限定的な実施形態では、消毒剤の濃度を下げる方法は、更に、例えばパラジウム触媒を含むスクラバを使用する少なくとも１つのスクラビングステップを含んでもよい。スクラバの使用は、環境から消毒剤の濃度をより低い濃度（即ち、人間が環境内に再び入ることができる許容レベル）に下げるのに必要な時間を短縮することができるが、スクラバのコスト、特に触媒スクラバが、除染装置のコストを著しく高める。したがって、本発明により環境内の消毒剤の濃度を下げる方法と共にスクラビングステップを利用してもよいが、コストを削減し、本明細書で述べた除染装置からスクラバを除外するほうが望ましいことがある。
【００５０】
ある特定の実施形態では、環境を除染する方法は、過酸化水素を含む消毒剤を環境に導入し、その後で、前述の消毒剤の濃度を下げる方法を行って、臨床的微生物のレベルを３、４、５又は６対数で減少させることを含んでもよい。
【００５１】
環境を除染する方法は、例えば室内の消毒剤の濃度若しくは量又は相対湿度に達するように、又は必要な除染レベルが満たされるまで、消毒剤を１回又はそれ以上導入することを含んでもよい。例えば、消毒剤は、除染システムが動作可能であること、即ち霧発生器が機能していることを保証する初期システムチェックステップの間、及び／又は第１の消毒剤注入、第２の消毒剤注入などの消毒剤導入ステップの間、環境に導入されもよい。
【００５２】
ある特定の実施形態では、環境を除染する方法は、所望の相対湿度（例えば、約５０〜６０％）に達するまで過酸化水素を導入し、ある期間後に、消毒剤が環境内に滞留することを可能にすることを含んでもよく、その後で、環境内の消毒剤の濃度を下げる方法が実行されてもよい。ある特定の他の実施形態では、環境を除染する方法は、所望の相対湿度（例えば、約７０〜８０％）に達するまで過酸化水素を導入すること、消毒剤が環境内に滞留することを可能にすること、及び次の繰り返しサイクルの前に環境を６０〜７０％の相対湿度に除湿することを含む複数のサイクルを含んでもよく、その後で、環境内の消毒剤の濃度を下げる方法が実行されてもよい。
【００５３】
ある特定の非限定的な実施形態では、除湿の使用は、環境の表面に消毒剤を凝結させるために、消毒剤の導入前、導入中又は導入後に採用されてもよい。理論によって拘束されるものではないが、例えばより高い分子量とより低い蒸気圧を有する過酸化水素は、湿度が高くなるときに水より前に凝結し、一方、より低い分子量とより高い蒸気圧を有する水は、断続的な給湿と除湿が環境内の過酸化水素の濃縮を可能にする正味の影響によって湿度が低下したときに過酸化水素より前に蒸発する。
【００５４】
ある特定の非限定的な実施形態では、水性消毒剤中の水は、湿度センサを使用して、消毒剤が消毒剤導入ステップ中に実際に放出されていることを確認するために使用されてもよく、それにより、別個の消毒剤センサを使用する必要がなくなる。
【００５５】
更に他の発明では、表面と環境の大気中の消毒剤を濃度を高める方法は、消毒剤の複数の導入を含み、各導入の後には、図６によって例示したような除湿ステップが続く。消毒剤の２回目の導入から、プロセスが、消毒剤より多い水を比例的に除去することによって環境内の消毒剤の濃度を優先的に高めていることを示す相対湿度（ＲＨ）の低下によって消毒剤の濃度（ｐｐｍ）が高くなる傾向があることに注意されたい。これを行う方法は、第１の湿度を達成する消毒剤を導入し、消毒剤の導入を中止し、次に第１の湿度より低い第２の湿度に除湿し、除湿を中止し、次に第１の湿度より低いが第２の湿度より高い第３の湿度を達成するように消毒剤を導入し、消毒剤の導入を中止し、次に第２の湿度より低い第４の湿度に除湿し、その後も同様に続けることである。
【００５６】
本明細書に開示されたある特定の実施形態は、環境内の除湿によって環境又は密閉物内の消毒剤の濃度を高める方法を対象とする。この方法は、環境内に消毒剤溶液を導入するステップ、十分な液体消毒剤が環境の表面に存在するように実質的に大気圧で霧を付着させかつ／又は蒸気を凝結させ、その結果、後で環境を除湿した際に表面上と環境内の消毒剤の濃度が高まるようにするステップとを含む。
【００５７】
別の実施形態では、環境の表面上と大気中の消毒剤を濃縮する方法が、水より揮発性が低い消毒剤の水溶液を、単一の連続的又は断続的噴射で、液体消毒剤と水を環境の表面に付着又は凝結させるのに十分な量で環境内に導入し、次に、凝結又は付着された液体消毒剤を気相に変化させるのに十分な時間及び／又は温度で環境を除湿することを含む。
【００５８】
様々な実施形態では、この方法を使用することにより、環境内の消毒剤の濃度が、除湿の前の環境内の消毒剤の濃度より約５ｐｐｍ、約８０ｐｐｍ、又は約２８５ｐｐｍ高くなる。
【００５９】
理論によって拘束されるものではないが、各除湿ステップの後の消毒剤の濃度の高まりは、環境内に消毒剤を導入するステップが、大気中で飽和されるか環境の表面によって分解又は吸収され、凝縮型除湿器により消毒剤と水蒸気を除去することによって気相にされる量を超える余分な消毒剤を導入したときに、環境のからの消毒剤の霧の小滴の付着及び／又は消毒剤蒸気の凝結により環境の表面に溜まった液体消毒剤の存在に依存又は比例すると考えられる。
【００６０】
特定の他の非限定的な実施形態では、除湿ステップは、消毒剤導入ステップの開始又は完了の一方の後で所定の長さ時間が経過する事象、環境内への所定量の消毒剤の導入を完了する事象、環境の中に消毒剤の所望の濃度を達成する事象、環境の中に消毒剤のピーク濃度を達成する事象、環境の中の所望の相対湿度を達成し、環境の表面上の液体の存在を検出する事象のうちの少なくとも１つの発生によって引き起こされる。この方法による消毒剤の濃度の高まりは、方法が意図通り実施されたことを保証するために診断又は品質管理目的に使用されてもよい。
【００６１】
以下の実例及び非限定的な例は、実施形態の範囲を制限せずに様々な非限定的な実施形態について更に詳しく述べるためのものである。当業者は、実施例の変形が、請求項によって定義されたような本発明の範囲内で可能であることを理解するであろう。
【実施例】
【００６２】
（実施例１）
部屋の再入場に適した低レベルまで部屋が消毒された後で残っている高レベルから消毒剤を除去する時間が、部屋の断続的な給湿と除湿によって劇的に短縮できることを示す研究を行った。この実施例では、４０％  ＲＨで４３ｍ３の部屋を消毒剤で処理した。給湿器によって分配された水の量は、各テストランの前後に水タンクを計量することにより決定された。テストケース１及び２では、消毒剤除去部分の間、水を部屋に分配しなかった。テストケース３及び４では、水を使用し、消毒剤除去部分の間に除湿器と給湿器が稼働した。消毒剤のレベルが１ｐｐｍ以下になる時間を記録した。除湿器が給湿なしに使用されたテストケース１及び２は、消毒剤を１ｐｐｍに減少させる際に除湿器だけ動作していなかったので、５．０２時間後に終了した。テストケース３及び４では、約１時間半で１ｐｐｍ以下になり、このことは、除湿と組み合わせて水を部屋内に分配した場合に、より短い期間で消毒剤の濃度を許容レベルまで減少させることができることを示す。
【００６３】
【表１】
2014517744.tif 000003
【００６４】
（実施例２）
環境の表面上の消毒剤を付着又は凝結するのに十分な消毒剤を環境に導入したとき、後の除湿によって、環境の表面に消毒剤を付着又は凝結させるのに不十分な消毒剤が導入された場合に達成できる濃度より濃度が高くなることを実証する研究を行った。様々な量の消毒剤を導入した後の除湿からなる２つの除染サイクルを行った。使用した消毒剤は、過酸化水素の５％水溶液であった。各テストランを始める前に、初期相対湿度を５０％に調整した。環境に導入する消毒剤の量は、導入時間を制御することによって変更された。消毒剤を、一方のテストランでは３分間、他方のテストランでは８分間、環境に注入した。各テストランでは、９５パイント／日の組み合わせ水分除去能力を有する２つの除湿器を運転することにより導入ステップを開始した１０分後に除湿ステップを開始した。環境の中の消毒剤の濃度と相対湿度を測定し、ある期間にわたってプロットした。図７を参照すると、上方のトレースセットは、相対湿度を表し、下方のトレースセットは、消毒剤濃度に関する。各トレースセットにおいて、上方トレースは、８分間の注入に相当し、下方トレースは、３分間の消毒剤注入に相当する。給湿器は、湿度が４５％に低下したときに稼働され、湿度を４５％〜５０％に維持するために使用された。このグラフから、８分間注入した相対湿度が、４分未満で９０％を超え、６分未満で最大示度１００％に達し、それに対して、３分間注入した相対湿度は、４分間で約８１％しか到達せず、除湿が開始される前に約７４％に低下したことが分かる。図７は、また、８分間注入したテストのトレースでは、消毒剤の導入から約１５分で消毒剤の濃度の高まりを示し、それに対して、３分間注入したトレースは、消毒剤濃度にそのような高まりがなく、実際には安定した減少を示した。８分間注入したテスト中、部屋の表面に付着した霧で試験室が満たされたことに注意されたい。除湿器が稼働したとき、水蒸気と過酸化物蒸気が、大気から除去され、除湿器内で凝結し、各テストで環境に見られなくなっているが、８分間注入の後で様々な表面に観察された液体過酸化物は、中の減少した水と過酸化物を補償するために蒸発したと考えられる。また、蒸発プロセス中に、水は、過酸化水素より速く蒸発し、これが表面に残った液体過酸化物を濃縮すると考えられる。最初の除湿プロセス中、表面上の液体過酸化物が更に濃縮し、より濃縮した過酸化物が表面から蒸発した。除湿器によって除去されたものより多くの過酸化物が蒸発し、その結果、消毒剤の導入開始約１５分後には濃度の高まりが観察された。導入後に全ての消毒剤が気相になった場合、環境の中の８分注入と３分注入の濃度の予想比率は、８対３、又は約２．６６であり、これに対して、観察された実際の比率は５．０もあり、これは、付着した液体から追加の過酸化物が、除湿器によって気相にされたことを示す。
【００６５】
（実施例３）
本明細書に開示した方法の一実施形態では、除湿に続く環境の中に達成された消毒剤の濃度が、環境の中に達成された消毒剤の濃度を超えることがあることを実証する研究が行なわれた。環境は、２つのテストランのそれぞれで消毒剤の導入前に２５％の相対湿度に調整された。各テストランのパラメータに関しては下記の表２を参照されたい。
【００６６】
【表２】
2014517744.tif 000004
【００６７】
各テストランで、消毒剤の濃度が、第１の割合で第１の量を提供する期間に導入され、次に約６０分間に導入された組み合わせ総量になるように第２の量を提供するように第２の割合で導入された。図８を参照すると、各テストランの結果、消毒剤導入ステップの後で中の消毒剤が第１のピーク量になり、除湿ステップの後で消毒剤が第２のピーク量になった。
【００６８】
１５％テストランの第１のピークの高さは、予想した通り７．５％テストランの第１のピークの高さの約２倍である。７．５％テストランでは、第２ピークの高さが、第１のピークの高さを大きく超え、それに対して１５％テストランの場合はそうではないことに注意されたい。除湿後のこの濃縮効果は、７．５％テストランによって環境に大量の消毒剤溶液が提供され、その結果、環境の表面上の過酸化物の凝結が、後の除湿ステップによって再蒸発したことによるものと考えられる。
【００６９】
この開示は、様々な典型的、説明的かつ非限定的な実施形態に関して記述された。しかしながら、当業者は、開示された任意の実施形態（又は、その一部分）の様々な代替、変更又は組み合わせを本発明の範囲から逸脱することなく行うことができることを理解するであろう。したがって、本開示が、本明細書に明示的で記述されていない追加の実施形態を包含することは意図され理解される。そのような実施形態は、例えば、本明細書に記載された実施形態の開示されたステップ、構成要素、要素、特徴、態様、特性、制限などのいずれかを組み合わせ、修正し、又は再編成することによって得られることがある。この点に関して、出願人は、本明細書に様々に記述されたような特徴を追加するために出願中に請求項を修正する権利を留保する。
【００７０】
〔実施の態様〕
（１）  約５００ｐｐｍ以下の消毒剤濃度を有する環境内の消毒剤濃度を、ある期間で、前記環境内の前記消毒剤濃度がより低い濃度に下がるまで下げる方法であって、
前記期間中に前記環境を連続的又は断続的に除湿して前記消毒剤を除去するステップと、
前記期間中に前記環境を連続的又は断続的に水分により給湿して、前記環境の低い方の相対湿度と高い方の相対湿度の差を約２０〜５０％に維持するステップとを含む、方法。
（２）  前記環境が、約１００ｐｐｍ又はそれ以下の濃度を有する、実施態様１に記載の方法。
（３）  前記環境が、約１０ｐｐｍ又はそれ以下の濃度を有する、実施態様１に記載の方法。
（４）  前記環境を給湿するステップが、前記より低い濃度が約１０．０ｐｐｍ又はそれ以下になるまで実行される、実施態様１に記載の方法。
（５）  前記環境を給湿するステップが、前記より低い濃度が約５．０ｐｐｍ又はそれ以下になるまで実行される、実施態様３に記載の方法。
【００７１】
（６）  前記環境を給湿するステップが、前記より低い濃度が約３．０ｐｐｍ又はそれ以下になるまで実行される、実施態様３に記載の方法。
（７）  前記環境を給湿するステップが、前記より低い濃度が約１．０ｐｐｍ又はそれ以下になるまで実行される、実施態様３に記載の方法。
（８）  前記環境を給湿するステップが、前記環境内の前記相対湿度を約２５〜５５％に維持する、実施態様１に記載の方法。
（９）  前記環境を給湿するステップが、前記環境内の前記相対湿度を約３０〜５５％に維持する、実施態様１に記載の方法。
（１０）  前記環境を給湿するステップが、前記環境内の前記相対湿度を約２５〜４５％に維持する、実施態様１に記載の方法。
【００７２】
（１１）  前記消毒剤が、過酸化水素である、実施態様７に記載の方法。
（１２）  前記水分は、実質的に消毒剤のない水を含む、実施態様１１に記載の方法。
（１３）  前記水は、無菌である、実施態様１２に記載の方法。
（１４）  過酸化水素消毒剤を環境内に導入するステップと、実施態様１に従って前記消毒剤濃度を下げるステップとを含む、環境を除染する方法。
（１５）  前記過酸化水素消毒剤が、第１の噴射期間中に前記環境に導入され、前記環境を、前記第１の噴射期間中に約４０〜６０％の相対湿度まで除湿するステップを更に含む、実施態様１４に記載の環境を除染する方法。
【００７３】
（１６）  前記過酸化水素消毒剤が、前記環境内に約４０〜７０ｍＬ／分の割合で導入され、前記第１の噴射期間中に前記環境を除湿するステップが、水分を１４０ｐｐｄ  ＠  ＡＨＡＭを超える割合で除去する、実施態様１５に記載の環境を除染する方法。
（１７）  前記過酸化水素消毒剤を導入するステップが、１回又はそれ以上繰り返される、実施態様１４に記載の環境を除染する方法。
（１８）  過酸化水素消毒剤を導入するステップを繰り返す前に前記環境を除湿するステップを更に含む、実施態様１７に記載の環境を除染する方法。
（１９）  環境を除染する除染システムであって、
消毒剤供給源と、
水分供給源と、
前記消毒剤供給源及び／又は水分供給源の少なくとも一方又は両方と流体連通した１台又はそれ以上の霧発生器であって、前記消毒剤と水分の少なくとも一方を、前記環境内に霧又は蒸気の少なくとも一方の形で放出するように構成された霧発生器と、
前記環境から消毒剤と水分を除去するように構成された除湿器とを含む、除染システム。
（２０）  前記消毒剤供給源、前記水分供給源、前記１台又はそれ以上の霧発生器、及び前記除湿器のうちの少なくとも２つを含むハウジングを更に含む、実施態様１９に記載の除染システム。
【００７４】
（２１）  スクラバを更に含む、実施態様１９に記載の除染システム。
（２２）  前記消毒剤が、過酸化水素である、実施態様１９に記載の除染システム。
（２３）  環境を除染する方法であって、
消毒剤供給源と流体連通した霧発生器を、前記環境内で第１の湿度が達成されるまで稼働させることによって前記環境内に消毒剤を導入し、前記霧発生器を停止するステップと、
前記環境内で前記第１の湿度より低い第２の湿度が達成されるまで除湿器を稼働させることによって前記環境内に導入された前記消毒剤の前記濃度を高め、前記除湿器を停止するステップと、
前記環境内で前記第２の湿度より高いが前記第１の湿度より低い第３の湿度が達成されるまで、前記消毒剤供給源と流体連通した前記霧発生器を稼働させることによって前記環境内に消毒剤を導入し、前記霧発生器を停止するステップとを、２回又はそれ以上実行することを含む、方法。
（２４）  環境を除染する方法であって、
前記環境内の水性消毒剤の飽和限度を超える量の水性消毒剤を前記環境に導入し、それにより前記環境の表面に前記水性消毒剤の蒸気を凝結させるステップと、
前記凝結した水性消毒剤を実質的に再蒸発さるのに十分な時間の間、前記環境を除湿するステップとを含む、方法。
（２５）  環境を除染する方法であって、水性消毒剤を環境内に導入するステップと、微生物汚染物質を３、４、５及び６対数減少のうちのいずれかに減少させるのに有効な量で前記消毒剤の一部分を表面に凝結又は付着させるステップと、前記環境を除湿するステップとを含む、方法。
【００７５】
（２６）  前記消毒剤が、過酸化水素である、実施態様２５に記載の方法。
【図１】
2014517744.tif 000005
【図２】
2014517744.tif 000006
【図３】
2014517744.tif 000007
【図４】
2014517744.tif 000008
【図５】
2014517744.tif 000009
【図６】
2014517744.tif 000010
【図７】
2014517744.tif 000011
【図８】
2014517744.tif 000012
【国際調査報告】
2014517744.tif 000013
2014517744.tif 000014
2014517744.tif 000015
2014517744.tif 000016
2014517744.tif 000017
2014517744.tif 000018